(57)【要約】局地的無線接続および広域無線接続がもたらされる電話システムを実施するための方法および装置。一実施形態では、電話システムは、第１アンテナ、この第１アンテナに接続された第１モデム、第２アンテナ、この第２アンテナに接続された第２モデム、これらの第１モデムおよび第２モデムに接続されたモデムインターフェイスを備えている端末装置を含み、上記第１モデムに短距離通信のために上記第１アンテナを使う第１電波インターフェイスが設けられ、上記第２モデムに上記第２アンテナを使う第２電波インターフェイスが設けられ、第２電波インターフェイスが第１電波インターフェイスとは異なっている。
2005538653.tif 000002
【特許請求の範囲】
【請求項１】
第１アンテナ、
この第１アンテナに接続された第１モデム、
第２アンテナ、
この第２アンテナに接続された第２モデム、
これらの第１モデムおよび第２モデムに接続されたモデムインターフェイス
を備えている端末装置を備えてなり、
前記第１モデムに短距離通信のために前記第１アンテナを使う第１電波インターフェイスが設けられ、
前記第２モデムに前記第２アンテナを使う第２電波インターフェイスが設けられ、
前記第２電波インターフェイスが前記第１電波インターフェイスとは異なっている電話システム。
【請求項２】
前記モデムインターフェイスは、前記第１モデムからの信号を前記第２モデムへ供給し、かつ、前記第２モデムからの信号を前記第１モデムへ供給する請求項１に記載の電話システム。
【請求項３】
前記モデムインターフェイスは、前記第１モデムから受信した信号を前記第２モデムと互換性のある第１変換信号へ変換して、この第１変換信号を前記第２モデムへ供給し、かつ、
前記モデムインターフェイスは、前記第２モデムから受信した信号を前記第１モデムと互換性のある第２変換信号へ変換して、この第２変換信号を前記第１モデムへ供給する請求項２に記載の電話システム。
【請求項４】
前記第１電波インターフェイスは、コードレス型電話用電波インターフェイスからなっている、
請求項１に記載の電話システム。
【請求項５】
前記第２電波インターフェイスは、加入者回線用無線電波インターフェイスからなっている請求項１に記載の電話システム。
【請求項６】
前記第２電波インターフェイスは、携帯電話用電波インターフェイスからなっている請求項１に記載の電話システム。
【請求項７】
前記第２電波インターフェイスは、ＰＣＳ用電波インターフェイスからなっている請求項１に記載の電話システム。
【請求項８】
第３アンテナ、
この第３アンテナに接続された第３モデム、
受話器ユーザーインターフェイス
を備えている受話器をさらに備えており、
前記第３モデムに、前記第３アンテナを使う第３電波インターフェイスが設けられ、かつ、
この第３電波インターフェイスは、第３モデムが第１モデムとの通信を行うことができるように、第１電波インターフェイスと同じものである請求項１に記載の電話システム。
【請求項９】
前記受話器は、前記受話器ユーザーインターフェイスにより受信したコマンドを処理するための受話器コマンドインターフェイスをさらに備えている請求項８に記載の電話システム。
【請求項１０】
前記受話器コマンドインターフェイスは、前記端末装置から受信したコマンドを処理する請求項９に記載の電話システム。
【請求項１１】
前記端末装置は、前記受話器から受信したコマンドを処理するための端末コマンドインターフェイスをさらに備えている請求項９に記載の電話システム。
【請求項１２】
前記端末装置は、端末ユーザーインターフェイスをさらに備えている請求項１に記載の電話システム。
【請求項１３】
前記端末装置は、前記端末ユーザーインターフェイスにより受信したコマンドを処理するための端末コマンドインターフェイスをさらに備えている請求項１２に記載の電話システム。
【請求項１４】
前記端末コマンドインターフェイスは、前記受話器から受信したコマンドを処理する請求項１３に記載の電話システム。
【請求項１５】
信号を端末装置の第１アンテナにより無線基地局から第１電波インターフェイスフォーマットで受信し、
前記信号を第２電波インターフェイスフォーマットへ変換し、
前記信号を前記端末装置の第２アンテナにより無線受話器へ前記第２電波インターフェイスフォーマットで送信することを備えており、
前記第１電波インターフェイスフォーマットは加入者回線用無線電波インターフェイスフォーマットであり、
前記第２電波インターフェイスフォーマットは短距離用無線電波インターフェイスフォーマットであり、
前記信号は音声データーを含んでいる無線通信の方法。
【請求項１６】
前記第１電波インターフェイスは、携帯電話用電波インターフェイスからなっている請求項１５に記載の方法。
【請求項１７】
前記第１電波インターフェイスは、ＰＣＳ用電波インターフェイスからなっている請求項１５に記載の方法。
【請求項１８】
前記第２電波インターフェイスフォーマットは、コードレス型電話用電波インターフェイスフォーマットである請求項１５に記載の方法。
【請求項１９】
コマンド信号を前記第２アンテナにより前記第２電波インターフェイスフォーマットで前記端末装置から前記受話器へ送信することをさらに備えている請求項１５に記載の方法。
【請求項２０】
コマンド信号を前記第２アンテナにより前記第２電波インターフェイスフォーマットで前記受話器から前記端末装置で受信することをさらに備えている請求項１５に記載の方法。
【請求項２１】
信号を端末装置の第１アンテナにより無線受話器から第１電波インターフェイスフォーマットで受信し、
前記信号を第２インターフェイスフォーマットへ変換し、
前記信号を前記端末装置の第２アンテナにより無線基地局へ前記第２電波インターフェイスフォーマットで送信することを備えており、
前記第１電波インターフェイスフォーマットは短距離用無線電波インターフェイスフォーマットであり、前記第２電波インターフェイスフォーマットは加入者回線用無線電波インターフェイスフォーマットであり、前記信号は音声データーを含んでいる無線通信の方法。
【請求項２２】
前記第１電波インターフェイスフォーマットは、コードレス型電話用電波インターフェイスフォーマットである請求項２１に記載の方法。
【請求項２３】
前記第２電波インターフェイスは、携帯電話用電波インターフェイスからなっている請求項２１に記載の方法。
【請求項２４】
前記第２電波インターフェイスは、ＰＣＳ用電波インターフェイスからなっている請求項２１に記載の方法。
【請求項２５】
コマンド信号を前記第２アンテナにより前記第１電波インターフェイスフォーマットで前記端末装置から前記受話器へ送信することをさらに備えている請求項２１に記載の方法。
【請求項２６】
コマンド信号を前記第２アンテナにより前記第１電波インターフェイスフォーマットで前記受話器から前記端末装置で受信することをさらに備えている請求項２１に記載の方法。
【請求項２７】
コマンドが含まれる信号を端末装置の第１アンテナにより無線受話器から第１電波インターフェイスフォーマットで受信し、
前記信号を前記コマンドが表示されるコマンドデーターへ変換し、
前記コマンドを前記端末装置で実行することを備えており、
前記第１電波インターフェイスフォーマットは短距離用無線電波インターフェイスフォーマットであり、前記第２電波インターフェイスフォーマットは加入者回線用無線電波インターフェイスフォーマットであり、前記端末装置は第２電波インターフェイスを維持するための第２アンテナを含んでいる無線通信の方法。
【請求項２８】
前記第１電波インターフェイスフォーマットは、コードレス型電話用電波インターフェイスフォーマットである請求項２７に記載の方法。
【請求項２９】
前記第２電波インターフェイスは、携帯電話用電波インターフェイスからなっている請求項２７に記載の方法。
【請求項３０】
前記第２電波インターフェイスは、ＰＣＳ用電波インターフェイスからなっている、
請求項２７に記載の方法。
【請求項３１】
前記コマンドを実行することは、前記第２電波インターフェイスを使うことである請求項２７に記載の方法。
【請求項３２】
信号を端末装置の第１アンテナにより無線基地局から第１電波インターフェイスフォーマットで受信するための手段、
前記信号を第２電波インターフェイスフォーマットへ変換するための手段、および
前記信号を前記端末装置の第２アンテナにより無線受話器へ前記第２電波インターフェイスフォーマットで送信するための手段を備えてなり、
前記第１電波インターフェイスフォーマットは加入者回線用無線電波インターフェイスフォーマットであり、前記第２電波インターフェイスフォーマットは短距離用無線電波インターフェイスフォーマットであり、前記信号は音声データーを含んでいる無線通信のシステム。
【請求項３３】
前記第１電波インターフェイスは、携帯電話用電波インターフェイスからなっている請求項３２に記載のシステム。
【請求項３４】
前記第１電波インターフェイスは、ＰＣＳ用電波インターフェイスからなっている請求項３２に記載のシステム。
【請求項３５】
前記第２電波インターフェイスフォーマットは、コードレス型電話用電波インターフェイスフォーマットである請求項３２に記載のシステム。
【請求項３６】
コマンド信号を前記第２アンテナにより前記第２電波インターフェイスフォーマットで前記端末装置から前記受話器へ送信するための手段をさらに備えている請求項３２に記載のシステム。
【請求項３７】
コマンド信号を前記第２アンテナにより前記第２電波インターフェイスフォーマットで前記受話器から前記端末装置で受信するための手段をさらに備えている請求項３２に記載のシステム。
【請求項３８】
信号を端末装置の第１アンテナにより無線受話器から第１電波インターフェイスフォーマットで受信するための手段、
前記信号を第２インターフェイスフォーマットへ変換するための手段、および
前記信号を前記端末装置の第２アンテナにより無線基地局へ前記第２電波インターフェイスフォーマットで送信するための手段を備えてなり、
前記第１電波インターフェイスフォーマットは短距離用無線電波インターフェイスフォーマットであり、前記第２電波インターフェイスフォーマットは加入者回線用無線電波インターフェイスフォーマットであり、前記信号は音声データーを含んでいる無線通信のシステム。
【請求項３９】
前記第１電波インターフェイスフォーマットは、コードレス型電話用電波インターフェイスフォーマットである請求項３８に記載のシステム。
【請求項４０】
前記第２電波インターフェイスは、携帯電話用電波インターフェイスからなっている請求項３８に記載のシステム。
【請求項４１】
前記第２電波インターフェイスは、ＰＣＳ用電波インターフェイスからなっている請求項３８に記載のシステム。
【請求項４２】
コマンド信号を前記第２アンテナにより前記第１電波インターフェイスフォーマットで前記端末装置から前記受話器へ送信するための手段をさらに備えている請求項３８に記載のシステム。
【請求項４３】
コマンド信号を前記第２アンテナにより前記第１電波インターフェイスフォーマットで前記受話器から前記端末装置で受信することをさらに備えている請求項３８に記載のシステム。
【請求項４４】
コマンドが含まれる信号を端末装置の第１アンテナにより無線受話器から第１電波インターフェイスフォーマットで受信するための手段、
前記信号を前記コマンドが表示されるコマンドデーターへ変換するための手段、および
前記コマンドを第２電波インターフェイスを使って前記端末装置で実行するための手段を備えてなり、
前記第１電波インターフェイスフォーマットは短距離用無線電波インターフェイスフォーマットであり、
前記第２電波インターフェイスフォーマットは加入者回線用無線電波インターフェイスフォーマットである
無線通信のシステム。
【請求項４５】
前記第１電波インターフェイスフォーマットは、コードレス型電話用電波インターフェイスフォーマットである請求項４４に記載のシステム。
【請求項４６】
前記第２電波インターフェイスは、携帯電話用電波インターフェイスからなっている請求項４４に記載のシステム。
【請求項４７】
前記第２電波インターフェイスは、ＰＣＳ用電波インターフェイスからなっている請求項４４に記載のシステム。
【発明の詳細な説明】
【背景技術】
【０００１】
この出願は、２００２年９月１０日に出願された米国仮特許出願第６０／４０９，７２１号の優先権を主張するものであり、その開示は引用によってこの明細書に組み入れられる。
【０００２】
無線式のセルラーネットワークあるいはＰＣＳネットワークとの通信を行うために加入者回線用無線電話が使われている。一般に、加入者回線用無線電話には、端末装置に接続された受話器が含まれている。端末装置には、ＣＤＭＡ、ＧＳＭあるいはＴＤＭＡのネットワークのような無線ネットワークとの通信を行うための電波インターフェイスが設けられている。加入者回線用無線電話は、陸線電話システムを利用することができない箇所で局地的な長距離用家庭電話として使われるのが普通である。
【発明の開示】
【発明が解決しようとする課題】
【０００３】
この発明によれば、局地的無線接続および広域無線接続がもたらされる電話システムを実施するための方法および装置が提供される。
【課題を解決するための手段】
【０００４】
一実施形態では、電話システムは、第１アンテナ、この第１アンテナに接続された第１モデム、第２アンテナ、この第２アンテナに接続された第２モデム、これらの第１モデムおよび第２モデムに接続されたモデムインターフェイスを備えている端末装置を含み、上記第１モデムに短距離通信のために上記第１アンテナを使う第１電波インターフェイスが設けられ、上記第２モデムに上記第２アンテナを使う第２電波インターフェイスが設けられ、第２電波インターフェイスが第１電波インターフェイスとは異なっている。
【０００５】
別の実施形態では、無線通信の方法は、信号を端末装置の第１アンテナにより無線基地局から第１電波インターフェイスフォーマットで受信し、上記信号を第２電波インターフェイスフォーマットへ変換し、上記信号を上記端末装置の第２アンテナにより無線受話器へ上記第２電波インターフェイスフォーマットで送信し、上記第１電波インターフェイスフォーマットは加入者回線用無線電波インターフェイスフォーマットであり、上記第２電波インターフェイスフォーマットは短距離用無線電波インターフェイスフォーマットであり、上記信号は音声データーを含んでいる。
【０００６】
別の実施形態では、無線通信の方法は、信号を端末装置の第１アンテナにより無線受話器から第１電波インターフェイスフォーマットで受信し、上記信号を第２インターフェイスフォーマットへ変換し、上記信号を上記端末装置の第２アンテナにより無線基地局へ上記第２電波インターフェイスフォーマットで送信し、上記第１電波インターフェイスフォーマットは短距離用無線電波インターフェイスフォーマットであり、上記第２電波インターフェイスフォーマットは加入者回線用無線電波インターフェイスフォーマットであり、上記信号は音声データーを含んでいる。
【０００７】
別の実施形態では、無線通信の方法は、コマンドが含まれる信号を端末装置の第１アンテナにより無線受話器から第１電波インターフェイスフォーマットで受信し、上記信号を上記コマンドが表示されるコマンドデーターへ変換し、上記コマンドを上記端末装置で実行し、上記第１電波インターフェイスフォーマットは短距離用無線電波インターフェイスフォーマットであり、上記第２電波インターフェイスフォーマットは加入者回線用無線電波インターフェイスフォーマットであり、上記端末装置は第２電波インターフェイスを維持するための第２アンテナを含んでいる。
【発明を実施するための最良の形態】
【０００８】
この発明によれば、局地的無線接続および広域無線接続がもたらされる電話システムを実施するための方法および装置が提供される。一実施形態では、端末装置には、セルラーネットワークあるいはＰＣＳネットワークとの通信を行うための加入者回線用無線インターフェイスと、コードレス型受話器との通信を行うためのコードレス型電話インターフェイスとが設けられている。ユーザーはコードレス型受話器により送話および受話を行う。端末装置は、コードレス型受話器と公衆交換電話網（ＰＳＴＮ）との間の通路あるいは中継装置として作用するために、コードレス型受話器とセルラーネットワークとを相互作用させる。
【０００９】
一実施形態の図示的実施例が以下に説明される。追加変形例はこの実施例の後に説明される。
【００１０】
一実施形態における一実施例では、加入者回線用無線端末装置に、２つのモデムである、ＣＤＭＡモデムとコードレス型電話モデムとが含まれている。端末装置には、これらのモデムに接続されたモデムインターフェイスも含まれている。コードレス型受話器には、端末装置のコードレス型電話モデムと互換性のあるコードレス型電話モデムが含まれている。
【００１１】
ユーザーは、別のユーザーと電話による対話をするときのような音声データーを送信するために、コードレス型受話器におけるマイクロホンの中へ話しかける。コードレス型受話器は入って来る音声を処理して音声データーを作成する。コードレス型受話器は、その音声データーをコードレス型電話モデムにより端末装置へ送信する。端末装置はそのコードレス型電話モデムによりその音声データーを受信する。端末装置は、そのモデムインターフェイスを使ってその音声データーを処理し、処理された音声データーをＣＤＭＡモデムへ通過させる。端末装置は、ＣＤＭＡモデムにより音声データーをＣＤＭＡ無線ネットワークへ送信する。ＣＤＭＡネットワークは音声データーをＰＳＴＮへ通過させる。
【００１２】
入って来る音声データーについては、端末装置が、ＣＤＭＡモデム（例えば、ＰＳＴＮからの音声データーについて）によりＣＤＭＡ無線ネットワークからの音声データーを受信する。端末装置は、モデムインターフェイスを使って音声データーを処理し、処理された音声データーをコードレス型電話モデムへ通過させる。端末装置は、その音声データーをコードレス型電話モデムによりコードレス型受話器へ送信する。コードレス型受話器は、そのコードレス型電話モデムにより音声データーを受信する。コードレス型受話器は、受信した音声データーを処理して、対応する音声をスピーカーにより出力する。
【００１３】
この実施例では、ユーザーは、コードレス型電話インターフェイスおよび加入者回線用無線インターフェイスを使って、ＰＳＴＮへ送話しかつＰＳＴＮから受話することができる。このようにして、ユーザーは、受話器と端末装置との間のコードレス接続により、局地的環境における移動性の利益を獲得する。ユーザーは、端末装置とＰＳＴＮとの間の加入者回線用無線接続の利益も獲得する（例えば、端末装置とＰＳＴＮとの間の陸線接続線を組み込みかつ維持するためのコストをなくすために）。
【００１４】
図１は、加入者回線用無線電話システムの一実施形態を示している。端末装置１０５には受話器１１０への第１無線接続がある。この第１無線接続は、コードレス型電話接続あるいはＩＥＥＥ８０２．１１接続（「Ｗｉ−Ｆｉ」）のような局地的無線接続である。端末装置１０５には基地局１１５への第２無線接続がある。この第２無線接続は、セルラー接続、ＰＣＳ接続、あるいは固定式無線接続のような広域無線接続である。一実施形態では、無線ネットワークは専用の加入者回線用無線ネットワークである。別の実施形態では、無線ネットワークは、移動型無線受話器（例えば携帯電話）のためにも使われるセルラーネットワークあるいはＰＣＳネットワークである。基地局１１５は、公衆交換電話網（ＰＳＴＮ）に接続されている。別の実施形態では、基地局は私設交換機あるいは私設セルラーネットワークのような異なる電話網に接続されている。
【００１５】
図２は、図１に示された端末装置１０５に関するような加入者回線用無線端末装置２００の一実施形態のブロック図を示している。端末装置２００には、加入者回線用無線（ＷＬＬ）モデム２０５とコードレス型モデム２１０とが含まれている。加入者回線用無線モデム２０５は、無線電話通信モデムであり、無線電話接続と、ＣＤＭＡ、ＴＤＭＡ、あるいはとりわけＧＳＭのような無線ネットワークとの通信のためのプロトコルあるいは電波インターフェイスとを維持するものである。コードレス型モデム２１０は、別の無線電話通信モデムであり、無線電話接続と、典型的なアナログ無線接続、ディジタル無線接続、あるいは無線ＬＡＮ接続（例えば８０２．１１すなわち「Ｗｉ−Ｆｉ」）のような、無線装置あるいは受話器との局地的接続あるいは短距離接続のためのプロトコルあるいは電波インターフェイスとを維持するものである。
【００１６】
加入者回線用無線モデム２０５は、第１アンテナ２２０にも接続された第１無線通信インターフェイス２１５に接続されている。一実施形態では、無線通信インターフェイス２１５は、典型的な無線インターフェイスであり、無線周波数（ＲＦ）構成要素、送受切換器、低雑音増幅器（ＬＮＡ）、帯域フィルター（ＢＰＦ）、絶縁装置、および電力増幅器を含んでいる。無線通信インターフェイス２１５は、移動型無線受話器における典型的な無線通信インターフェイスに類似した作用を行う。加入者回線用無線接続を用いて信号を送信するために、加入者回線用無線モデム２０５が無線通信インターフェイス２１５へ変調信号を供給する。無線通信インターフェイス２１５では、ＲＦ構成要素が加入者回線用無線モデム２０５から電力増幅器へ上記変調信号を供給する。電力増幅器は増幅信号を上記絶縁装置へ供給し、この絶縁装置は次に、その信号を送受切換器およびアンテナ２２０へ供給する。加入者回線用無線接続を用いて信号を受信するために、アンテナ２２０は無線ネットワークから受信した信号を送受切換器へ供給する。送受切換器は、増幅信号をＢＰＦへ供給するためのＬＮＡへその信号を供給する。ＢＰＦはＲＦ構成要素へ濾過信号を供給し、ＲＦ構成要素はその信号を加入者回線用無線モデム２０５へ供給する。
【００１７】
コードレス型モデム２１０は、第２アンテナ２３０にも接続された第２無線通信インターフェイス２２５に接続されている。第２無線通信インターフェイス２２５およびアンテナ２３０は、第１無線通信インターフェイス２１５およびアンテナ２２０に類似した作用を行い、コードレス型モデム２１０とコードレス型受話器（例えば、図１に示されたコードレス型受話器１１０）との間で信号の送信および受信を行う。
【００１８】
加入者回線用無線モデム２０５およびコードレス型モデム２１０は両方ともモデムインターフェイス２３５に接続されている。モデムインターフェイス２３５は、２つのモデム２０５，２１０の間で信号を処理しかつ受け渡しする。モデムインターフェイス２３５は、信号およびデーターの任意の必要な対話すなわちフォーマッティングをもたらして、受話器と無線ネットワークとの間におけるデーターの受け渡しを維持する。例えば、一実施形態では、モデムインターフェイス２３５は、コードレス型モデム２１０から変調信号を受信し、その信号を前処理して、加入者回線用無線モデム２０５のための信号を作成する。代わりの実施形態では、加入者回線用無線モデムおよびコードレス型モデムは、他のモデムのための適切なフォーマットで出力データーを供給し、それで直接、相互に作用する。この場合、上記モデムインターフェイスはモデム内で省略されるか、統合される。
【００１９】
端末装置２００には、端末装置２００の作用を維持するとともに制御するために、制御ブロック２４０とその関連記憶部２４５とが含まれている。制御ブロック２４０およびモデム２０５，２１０は互いに作用して、無線ネットワークにより電話の送話および受話を行う。制御ブロック２４０にはコマンドインターフェイス２５０が接続されている。コマンドインターフェイス２５０は、端末装置２００によって受信された受話器のためのコマンドと、受話器から受信された端末装置２００のためのコマンドとを処理する。制御ブロック２４０およびコマンドインターフェイス２５０は、受信されたコマンドを実行するために、関連して作用を行う。
【００２０】
端末装置２００には、加入者回線用無線端末およびコードレス型電話端末に典型的な追加構成要素である、端末装置２００（図２には示されていない接続部）の動力付き構成要素に接続された電源２５５（例えば、電池あるいは外部電源接続部）、位相固定ループ（ＰＬＬ）２６０、キーパッド（例えば、番号入力あるいはページボタンのための）、リンガー、およびディスプレイが含まれているユーザーインターフェイス２６５、外部周辺装置のための１つ以上の接続部（例えば、アナログｆａｘへのＲＪ−１１、追加電話（コードレス型あるいは有線式）へのＲＪ−１１、データー接続あるいはネットワーク接続のためのＰＣへのＲＪ−４５／ＲＳ−２３２）が含まれている周辺装置インターフェイス２７０、および受話器を受けるとともに受話器へ再充電のための電力を供給するクレードル２７５もまた含まれている。
【００２１】
図３は、図１に示された受話器１１０に関連するようなコードレス型受話器３００の一実施形態のブロック図を示す。受話器３００にはコードレス型モデム３０５が含まれている。コードレス型モデム３０５は、無線電話通信モデムであり、無線電話接続と、典型的なアナログコードレス接続、ディジタルコードレス接続のような、無線装置あるいは受話器との局地的接続あるいは短距離接続のためのプロトコルあるいは電波インターフェイス、または無線ＬＡＮ接続（例えば８０２．１１すなわち「Ｗｉ−Ｆｉ」）のためのプロトコルあるいは電波インターフェイスとを維持するものである。コードレス型モデム３０５は、アンテナ３１５にも接続された無線通信インターフェイス３１０に接続されている。無線通信インターフェイス３１０およびアンテナ３１５は、先に説明された無線通信インターフェイス２２５およびアンテナ２３０に類似した作用を行い、コードレス型モデム３０５とコードレス型端末装置（例えば、図１に示された端末装置１０５）との間で信号の送信および受信を行う。
【００２２】
受話器３００には、受話器３００の作用を維持するとともに制御するために、制御ブロック３２０とその関連記憶部３２５とが含まれている。制御ブロック３２０およびモデム３０５は互いに作用して、端末装置および無線ネットワークにより電話の送話および受話を行う。制御ブロック３２０にはコマンドインターフェイス３３０が接続されている。コマンドインターフェイス３３０は、受話器３００によって受信された端末装置のためのコマンドと、端末装置から受信された受話器３００のためのコマンドとを処理する。制御ブロック３２０およびコマンドインターフェイス３３０は、受信されたコマンドを実行するために、関連して作用を行う。
【００２３】
受話器３００には、コードレス型電話受話器に典型的な追加構成要素である、受話器３００（図３には示されていない接続部）の動力付き構成要素に接続された電源３３５（再充電可能な電池）、位相固定ループ（ＰＬＬ）３４０、マイクロホンおよびスピーカーが含まれている音声ブロック３４５、キーパッド（例えば、番号入力のための）、リンガー、およびディスプレイが含まれているユーザーインターフェイス３５０、および受話器３００を端末装置に接続するとともに受話器３００へ再充電のための電力を供給するクレードルコネクター３５５もまた含まれている。
【００２４】
端末装置および受話器はさらに、ユーザーが端末装置の加入者回線用無線ネットワークに接続された電話網により送話および受話をすることができるように、互いに作用し合う。例えば受話器および端末装置は、模擬ダイアルトーン機能および自動パルス送信機能のような基本的な加入者回線用電話機能をもたらす。
【００２５】
図４は、受話器から無線ネットワークへ音声データーを送信する一実施形態のフローチャート４００を示している。初めに、電話通信が受話器および端末装置により送話および受話されて、受話器と端末装置との間の開放接続および端末装置と無線ネットワークとの間の開放接続が確立される。
【００２６】
ブロック４０５で、ユーザーは受話器のマイクロホンの中へ話しかける。ブロック４１０で、受話器は、その音声信号を処理して、その音声信号を受話器と端末装置との間における電波インターフェイスのためにフォーマットされた信号へ変換する。一実施形態では、受話器は、典型的なコードレス型電話用電波インターフェイスによって、その音声信号を処理して変調する。ブロック４１５で、受話器はフォーマットされた信号を端末装置へ送信する。受話器は、コードレス型モデムと受話器のアンテナとを使って、フォーマットされた信号を端末装置へ送信する。
【００２７】
ブロック４２０で、端末装置は受話器から信号を受信する。端末装置は、アンテナと、受話器と端末装置との間における電波インターフェイスに対応しているモデムとを使って信号を受信するとともに処理する。ブロック４２５で、端末装置は、受信した信号を、端末装置と無線ネットワークとの間における電波インターフェイスのためにフォーマットされた信号へ変換する。一実施形態では、端末装置は、モデムインターフェイスを使って、受話器に対応している電波インターフェイスのためのモデムから無線ネットワークに対応している電波インターフェイスのためのモデムへ信号を通過させる。端末装置は、ＣＤＭＡインターフェイスのような加入者回線用無線電波インターフェイスによって、信号を処理するとともに変調する。ブロック４３０で、端末装置は、再フォーマットされた信号を無線ネットワークへ送信する。端末装置は、加入者回線用無線モデムと端末装置のアンテナとを使って、再フォーマットされた信号を無線ネットワークにおける基地局へ送信する。
【００２８】
図５は、無線ネットワークから受話器へ音声データーを送信する一実施形態のフローチャート５００を示している。初めに、電話通信が受話器および端末装置により送話および受話されて、受話器と端末装置との間の開放接続および端末装置と無線ネットワークとの間の開放接続が確立される。
【００２９】
ブロック５０５で、端末装置が、音声データーの含まれている信号を無線ネットワークカから受信する。端末装置は、加入者回線用無線モデムと端末装置のアンテナとを使って、無線ネットワークにおける基地局から信号を受信するとともに処理する。ブロック５１０で、端末装置は、受信した信号を端末装置と受話器との間における電波インターフェイスのためにフォーマットされた信号へ変換する。一実施形態では、端末装置は、モデムインターフェイスを使って、無線ネットワークに対応している電波インターフェイスのためのモデムから受話器に対応している電波インターフェイスのためのモデムへ信号を通過させる。端末装置は、典型的なコードレス型電話用電波インターフェイスによって信号を処理するとともに変調する。ブロック５１５で、端末装置はフォーマットされた信号を受話器へ送信する。端末装置は、コードレス型モデムと端末装置のアンテナとを使って信号を受話器へ送信する。
【００３０】
ブロック５２０で、受話器は信号を端末装置から受信する。受話器は、モデムと受話器のアンテナとを使って、信号を端末装置から受信するとともに処理する。ブロック５２５で、受話器は、受信した信号を処理するとともに、その信号を音声信号へ変換する。一実施形態では、受話器は、典型的なコードレス型電話用電波インターフェイスによって信号を復調する処理を行う。ブロック５３０で、受話器は、音声をスピーカーによりユーザーへ出力する。
【００３１】
端末装置および受話器はさらに、ユーザーがコマンドを入力して受話器により端末装置を制御するとともに端末装置により受話器を制御することができるように、互いに作用し合う。上述されたように、一実施形態では、端末装置および受話器にはそれぞれ、コマンドを入力するとともにコマンドの結果についての情報を表示するためのユーザーインターフェイスが含まれている。別の実施形態では、受話器および端末装置の一方あるいは双方に、音声コマンドのための言語認識を維持するとともに処理する構成要素が含まれている。
【００３２】
図６は、受話器から加入者回線用無線端末装置へコマンドを発する一実施形態のフローチャート６００を示している。初めに、ユーザーは、受話器を起動させて、受話器と端末装置との間の無線接続を開放した。ブロック６０５で、ユーザーは、受話器のユーザーによりコマンドを入力する。一実施形態では、ユーザーは受話器のキーパッドを使ってコマンドを選択する。ブロック６１０で、受話器は入力されたコマンドを処理する。受話器は、コマンドが受話器ではなく端末装置を目的としていることを判定する。受話器は、コマンドインターフェイスを使ってコマンドを処理するとともに解釈する。ブロック６１５で、受話器は、そのコマンドを、受話器と端末装置との間における電波インターフェイスのためにフォーマットされた信号へ変換する。一実施形態では、受話器は、そのコマンドデーターを典型的なコードレス型電話用電波インターフェイスによって処理するとともに変調する。ブロック６２０で、受話器はフォーマットされた信号を端末装置へ送信する。受話器は、フォーマットされた信号をコードレス型モデムと受話器のアンテナとを使って端末装置へ送信する。
【００３３】
ブロック６２５で、端末装置は信号を受話器から受信する。端末装置は、アンテナと、受話器と端末装置との間における電波インターフェイスに対応しているモデムとを使って、信号を受信する。ブロック６３０で、端末装置は、受信した信号をコマンドデーターへ変換するとともに、そのコマンドを処理する。端末装置はコマンドインターフェイスを使ってそのコマンドを処理するとともに解釈する。ブロック６３５で、端末装置はそのコマンドを実行する。
【００３４】
ユーザーは、類似した方法で受話器を制御するために、端末装置によりコマンドを入力する。この場合に、端末装置は、入力されたコマンドを処理するとともに、そのコマンドを、端末装置と受話器との間におけるコードレス型電波インターフェイスにより受話器へ送信する。受話器は次に、受信したコマンドを処理するとともに実行する。
【００３５】
この発明のさまざまな実施形態は、電子的ハードウェア、コンピューターソフトウェア、あるいはこれらの技術の組み合わせにより、実現される。いくつかの実施形態には、書き込み可能なプロセッサーあるいはコンピューターにより実行される１つ以上のコンピュータープログラムが含まれている。例えば、一実施形態についての図１によれば、端末装置１０５および受話器１１０には、１つ以上の書き込み可能なプロセッサーが含まれている。一般に、それぞれのコンピューターには、１つ以上のプロセッサー、１つ以上のデーター記憶要素（例えば、揮発性あるいは不揮発性のメモリーモジュール、およびハードディスクドライブ、フロッピーディスクドライブ、ＣＤ−ＲＯＭドライブ、磁気テープドライブのような持続型の光学記憶装置および磁気記憶装置）、１つ以上の入力装置（例えば、マイクロホンおよびキーボード）、および１つ以上の出力装置（例えば、ディスプレイコンソールおよびプリンター）が含まれている。
【００３６】
コンピュータープログラムには、通常は持続型記憶媒体に記憶され、その後のランタイムでメモリーの中へコピーされる実行可能コードが含まれている。プロセッサーは、メモリーからのプログラム指令を所定順序で取り出すことで、そのコードを実行する。プログラムコードを実行するとき、コンピューターは、入力装置および／または記憶装置からデーターを受信して、そのデーターに操作を実行し、その後、その結果として生じるデーターを出力装置および／または記憶装置へ移送する。
【００３７】
この発明のさまざまな図示的実施形態が説明されてきた。しかしながら、当業者であれば、追加の実施形態は、また可能なものであり、この発明の範囲内にある、ということが分かるであろう。例えば、上記説明は加入者回線用無線接続およびコードレス型電話接続を使った実施形態に焦点が合わされていたが、２つのセルラー接続、あるいは２つの無線ＬＡＮ接続のような、他の接続を用いることも可能である。別の代わりの実施形態では、端末装置および受話器の一方あるいは双方は、独立型ユニットではなく、コンピューターシステム（例えばラップトップ型）の中に一体化されたような他のシステムの構成要素である。
【００３８】
したがって、この発明は、上に説明した実施形態だけに限定されるものではない。
【図面の簡単な説明】
【００３９】
【図１】加入者回線用無線電話システムにおける一実施形態を示している。
【図２】加入者回線用無線端末装置における一実施形態のブロック図を示している。
【図３】コードレス型受話器における一実施形態のブロック図を示している。
【図４】受話器から無線ネットワークへ音声データーを送信する一実施形態のフローチャートを示している。
【図５】無線ネットワークから受話器へ音声データーを送信する一実施形態のフローチャートを示している。
【図６】受話器から加入者回線用無線端末装置へコマンドを発する一実施形態のフローチャートを示している。
【符号の説明】
【００４０】
１０５  端末装置
１１０  無線受話器
１１５  無線基地局
２０５  加入者回線用無線モデム
２１０  コードレス型モデム
２１５  無線通信インターフェイス
２２０  アンテナ
２３０  アンテナ
２３５  モデムインターフェイス
２４０  制御部
２４５  記憶部
２５０  コマンドインターフェイス
２５５  電源
２６５  ユーザーインターフェイス
２７０  周辺装置用コネクター
２７５  クレードル
３０５  コードレス型モデム
３１０  無線通信インターフェイス
３１５  アンテナ
３２０  制御部
３２５  記憶部
３３０  コマンドインターフェイス
３３５  電源
３４５  マイクロホン、スピーカー
３５０  キーパッド、リンガー、ディスプレイ
３５５  クレードル用コネクター
【図１】
2005538653.tif 000003
【図２】
2005538653.tif 000004
【図３】
2005538653.tif 000005
【図４】
2005538653.tif 000006
【図５】
2005538653.tif 000007
【図６】
2005538653.tif 000008
【国際調査報告】
2005538653.tif 000009
2005538653.tif 000010
2005538653.tif 000011